(57)【要約】【課題】無線通信システム１０において、基地局１１は下り制御チャネルを使って、各移動局１２ごとの個別呼出し情報及び各グループごとのグループ別呼出し情報を通知する。呼出し用チャネルの総数を抑えて、個別呼出し情報及びグループ別呼出し情報を効率よく、通知する。【解決手段】制御チャネルに複数の呼出し用チャネルを設定し、それらに群番号を対応付ける。呼出し用チャネルは、個別呼出し情報及びグループ別呼出し情報の通知に兼用する。個別呼出し情報の通知は、それにより呼出す移動局１２のＩＤに対応する群番号の呼出し用チャネルが使用され、また、グループ別呼出し情報の通知は、それにより呼出すグループのＩＤに対応する群番号の呼出し用チャネルが使用される。【選択図】図５
2008205713.tif 000002
【特許請求の範囲】
【請求項１】
各移動局に対する個別呼出し情報を、該移動局の移動局識別子に対応する群番号の呼出し用チャネルに割当てる第１の呼出し用チャネル割当て手段、
移動局の各グループに対するグループ別呼出し情報を、該グループのグループ識別子に対応する群番号の呼出し用チャネルに割当てる第２の呼出し用チャネル割当て手段、及び
各群番号の呼出し用チャネルについて所定の順番に配置した呼出し用チャネル列を下り制御チャネルにより無線送信する下り制御チャネル送信手段、
を有することを特徴とする基地局。
【請求項２】
各フレームから抽出した各群番号の呼出し用チャネルが所定の順番に配置されたスーパーフレームを構築可能となるように、各呼出し用チャネルに対して１つのフレームを割当てるフレーム割当て手段、及び
前記フレームの列を呼出し用チャネル列として送信する前記下り制御チャネル送信手段、
を有していることを特徴とする請求項１記載の基地局。
【請求項３】
前記第１及び第２の呼出し用チャネル割当て手段がそれぞれ割当てる呼出し用チャネルが同一群番号の呼出し用チャネルとなる場合には、個別呼出し情報及びグループ別呼出し情報の両方を通知可能とするデータを、同一スーパーフレームにおける該同一群番号の呼出し用チャネルに対応するフレームに格納する調整手段、
を有することを特徴とする請求項２記載の基地局。
【請求項４】
前記第１及び第２の呼出し用チャネル割当て手段がそれぞれ割当てる呼出し用チャネルが同一群番号の呼出し用チャネルとなる場合には、個別呼出し情報及びグループ別呼出し情報内の一方のデータは、他方のデータを格納したスーパーフレームより後のスーパーフレームの対応呼出し用チャネルに格納する調整手段、
を有することを特徴とする請求項２記載の基地局。
【請求項５】
各群番号の呼出し用チャネルについて所定の順番に配置した呼出し用チャネル列を無線の下り制御チャネルにより受信する下り制御チャネル受信手段、
下り制御チャネルにおいて自局への個別呼出し情報通知用に割当てられた群番号の呼出し用チャネルから個別呼出し情報を抽出する個別呼出し情報抽出手段、及び
下り制御チャネルにおいて自局が属するグループへのグループ別呼出し情報通知用に割当てられた群番号の呼出し用チャネルからグループ別呼出し情報を抽出するグループ別呼出し情報抽出手段、
を有していることを特徴とする移動局。
【請求項６】
各群番号の呼出し用チャネルに対して１つずつ割当てられているフレームの列を前記呼出し用チャネル列として受信する前記下り制御チャネル受信手段、
自局の個別呼出し情報と自局が属するグループのグループ別呼出し情報とを割当てられた群番号以外の群番号の呼出し用チャネルに対応するフレームの受信期間では、前記下り制御チャネル受信手段にその受信作動を停止させる受信作動制御手段、
を有することを特徴とする請求項５記載の移動局。
【請求項７】
請求項１〜４のいずれかに記載の基地局と、請求項５又は６記載の移動局とを含む無線通信システム。
【請求項８】
各移動局に対する個別呼出し情報を、該移動局の移動局識別子に対応する群番号の呼出し用チャネルに割当てるステップ、
移動局の各グループに対するグループ別呼出し情報を、該グループのグループ識別子に対応する群番号の呼出し用チャネルに割当てるステップ、及び
各群番号の呼出し用チャネルについて所定の順番に配置した呼出し用チャネル列を下り制御チャネルにより無線送信するステップ、
を有することを特徴とする基地局制御方法。
【請求項９】
各群番号の呼出し用チャネルについて所定の順番に配置した呼出し用チャネル列を無線の下り制御チャネルにより受信するステップ、
下り制御チャネルにおいて自局への個別呼出し情報通知用に割当てられた群番号の呼出し用チャネルから個別呼出し情報を抽出するステップ、及び
下り制御チャネルにおいて自局が属するグループへのグループ別呼出し情報通知用に割当てられた群番号の呼出し用チャネルからグループ別呼出し情報を抽出するステップ、
を有していることを特徴とする移動局制御方法。
【発明の詳細な説明】
【技術分野】
【０００１】
本発明は、基地局、移動局、無線通信システム及び制御方法に関し、詳しくは下り制御チャネルを使って個別呼出し情報及びグループ別呼出し情報を通知する基地局、移動局、無線通信システム及び制御方法に関するものである。
【背景技術】
【０００２】
特許文献１の図４（ａ）に係る無線通信システムでは、各移動局は所定の群番号をもつともに、スーパーフレームには、各群番号に対応付けられた呼出し用チャネルが配置され、基地局が、各移動局に対してその呼出し情報を通知する場合は、該移動局の群番号に対応付けられている呼出し用チャネルにより呼出し情報を通知するようにしている。
【０００３】
無線通信システムにおける下り制御チャネルによる通知には、移動局同士が１：１で通話する個別通信のために、１個の移動局を呼出す個別呼出し情報と、移動局同士が１：複数で通話するグループ通信のために、所定のグループに属する全部の移動局を呼出す呼出し情報がある。各グループに属する移動局の群番号はまちまちになるので、特許文献１の図４の方式を使って、該グループに属する全部の移動局に呼出し情報を通知すると、多数の群番号の呼出し用チャネルを使うことになり、通知が非効率になる（特許文献１の段落０００６）。
【０００４】
そこで、特許文献１の図３（ａ）では、個別呼出し情報を通知する呼出し用チャネル（該図３（ａ）の＃１ＰＣＨ，＃２ＰＣＨ，・・・）とは、別途に、グループ別呼出し情報を通知する呼出し用チャネル（該図３（ａ）のＧＰＣＨ）をスーパーフレームに設定し、該呼出し用チャネルを使って、所定グループに属する全部の移動局へのグループ別呼出し情報を通知するようになっている。
【０００５】
特許文献１の図３（ｂ）は、また、各移動局が、報知チャネル、個別呼出し情報通知用の呼出し用チャネル、及びグループ別呼出し情報通知用の呼出し用チャネルの期間のみ、受信ＯＮ状態になり、その他の期間は受信ＯＦＦ状態となって、移動局の節電を図ることを開示する。
【特許文献１】特許第２８７８２３７号公報
【発明の開示】
【発明が解決しようとする課題】
【０００６】
特許文献１の無線通信システムの問題点は次のとおりである。
【０００７】
（ａ）グループ別呼出し情報通知専用の呼出し用チャネルを用意するので、スーパーフレームにおける呼出し用チャネルの総数が増大する。これを回避するためには、群番号を１つ減らせばよいが、そのようにすると、各群番号に割当てる移動局の個数が増大し、通知効率や節電等について悪影響が生じる。
【０００８】
（ｂ）グループ別呼出し情報を割当てる呼出し用チャネルはスーパーフレームに１つしかないので、複数のグループに対して同時にグループ別呼出し情報を通知する場合には、グループ別呼出し情報通知を後回しにされるグループが生じ、該グループへの呼出し情報通知が遅れてしまう。これを回避するために、１つのスーパーフレームに含めるグループ用の呼出し用チャネルを増やすと、上記（ａ）と同様に、スーパーフレームにおける呼出し用チャネルの総数が増大するという問題が生じる。
【０００９】
本発明の目的は、上述の問題点に対処した基地局、移動局、無線通信システム及び制御方法を提供することである。
【課題を解決するための手段】
【００１０】
本発明によれば、下り制御チャネルの複数の呼出し用チャネルについて群番号を対応付けるとともに、これらの呼出し用チャネルは、個別呼出し情報及びグループ別呼出し情報の通知に兼用し、個別呼出し情報及びグループ別呼出し情報は、移動局識別子及び群番号に対応する群番号の呼出し用チャネルに割当てて通知する。
【００１１】
本発明の基地局は次の手段を有している。
各移動局に対する個別呼出し情報を、該移動局の移動局識別子に対応する群番号の呼出し用チャネルに割当てる第１の呼出し用チャネル割当て手段、
移動局の各グループに対するグループ別呼出し情報を、該グループのグループ識別子に対応する群番号の呼出し用チャネルに割当てる第２の呼出し用チャネル割当て手段、及び
各群番号の呼出し用チャネルについて所定の順番に配置した呼出し用チャネル列を下り制御チャネルにより無線送信する下り制御チャネル送信手段。
【００１２】
本発明の移動局は次のものを有している。
各群番号の呼出し用チャネルについて所定の順番に配置した呼出し用チャネル列を無線の下り制御チャネルにより受信する下り制御チャネル受信手段、
下り制御チャネルにおいて自局への個別呼出し情報通知用に割当てられた群番号の呼出し用チャネルから個別呼出し情報を抽出する個別呼出し情報抽出手段、及び
下り制御チャネルにおいて自局が属するグループへのグループ別呼出し情報通知用に割当てられた群番号の呼出し用チャネルからグループ別呼出し情報を抽出するグループ別呼出し情報抽出手段。
【００１３】
本発明の無線通信システムは、上記基地局と上記移動局とを備えている。
【００１４】
本発明の基地局制御方法は次のステップを有している。
各移動局に対する個別呼出し情報を、該移動局の移動局識別子に対応する群番号の呼出し用チャネルに割当てるステップ、
移動局の各グループに対するグループ別呼出し情報を、該グループのグループ識別子に対応する群番号の呼出し用チャネルに割当てるステップ、及び
各群番号の呼出し用チャネルについて所定の順番に配置した呼出し用チャネル列を下り制御チャネルにより無線送信するステップ。
【００１５】
本発明の移動局制御方法は次のステップを有している。
各群番号の呼出し用チャネルについて所定の順番に配置した呼出し用チャネル列を無線の下り制御チャネルにより受信するステップ、
下り制御チャネルにおいて自局への個別呼出し情報通知用に割当てられた群番号の呼出し用チャネルから個別呼出し情報を抽出するステップ、及び
下り制御チャネルにおいて自局が属するグループへのグループ別呼出し情報通知用に割当てられた群番号の呼出し用チャネルからグループ別呼出し情報を抽出するステップ。
【発明の効果】
【００１６】
本発明によれば、下り制御チャネルにおける呼出し用チャネルの個数増大を回避しつつ、個別呼出し情報及びグループ別呼出し情報を通知することができる。また、複数のグループへの呼出し情報が同時に起きた場合にも、呼出し情報を後回しにされるグループが生じるのを抑制することができる。
【発明を実施するための最良の形態】
【００１７】
図１は無線通信システム１０の概略図である。図１の無線通信システム１０は、１つの基地局１１と、複数の移動局１２とを備えている。移動局は例えば車載端末や携帯端末である。基地局１１から移動局１２への通信を下りの通信と呼び、移動局１２から基地局１１への通信を上りの通信と呼ぶことにする。この無線通信システム１０は、ＴＤＭＡ（時分割多重接続：Time Division Multiple Access）方式のシステム又はＦＤＭＡ（周波数分割多重接続：Frequency Division Multiplex Access）のシステムである。
【００１８】
無線通信システム１０における各移動局１２はユニークな移動局ＩＤとグループ識別子ＩＤとを割当てられる。説明の便宜上、図１の各移動局１２のＵＩＤ（移動局ＩＤ）は、３，５，８，１０，２０，３０とする。また、ＧＩＤ（グループＩＤ）は、ＵＩＤ＝１０，２０，３０の移動局１２のグループについては、＝１とし、ＵＩＤ＝３，５，８の移動局１２のグループについては、＝３とする。
【００１９】
図１の通信状態では、ＵＩＤ＝１０の移動局１２が、ＧＩＤ＝１に基づくグループ呼出しを行って、ＧＩＤ＝１であるＵＩＤ＝２０，３０の移動局１２がそれを受信しているとともに、ＵＩＤ＝８の移動局１２が、ＵＩＤ＝５の移動局１２へ個別呼出しを行って、これをＵＩＤ＝５の移動局１２が受信している。
【００２０】
無線通信システム１０では、無線チャネルの総数はｎと想定する。ｎ個の無線チャネルの内、少なくとも１つが制御チャネルとなる。ｎと群番号の総数ｍとは独立に設定される。また、移動局１２の総数は、グループの総数以上である場合だけでなく、グループの総数未満であっても可である。１つの移動局１２が複数のグループに属することもあり得る。
【００２１】
図２はＵＩＤ＝１０の移動局１２がそのメモリに記憶している各種番号情報を示している。各移動局１２は、（ａ）自局のＵＩＤ（Ｍｙ  ＵＩＤ）及びＧＩＤ（Ｍｙ  ＧＩＤ）と、（ｂ）個別通信における通話相手機の全部のＵＩＤについてのテーブルと、（ｃ）グループ通信における通話相手グループの全部のＧＩＤテーブルとをメモリに保有している。
【００２２】
ＵＩＤ＝１０の移動局１２のユーザは、１：１の個別通信を開始する場合は、メモリ内のＵＩＤテーブルの中から１つのＵＩＤを相手機として選択して、個別呼出しを行う。また、１：複数のグループ通信を開始する場合は、メモリ内のＧＩＤテーブルから１つのグループを選択して、グループ呼出しを行う。
【００２３】
無線通信システム１０は複数の基地局を備えていてもよい。複数基地局装備の無線通信システムでは、各基地局は適当に分布して配置される。各基地局の電波到達エリアは、その周辺部では、隣接する電波到達エリア同士で、部分的に重複していてもよいし、重複していなくてもよい。重複する場合には、各電波到達エリアにおいて使用されるキャリアの周波数は相違させる。複数基地局装備の無線通信システムでは、各基地局は、典型的には、ケーブル又は無線で接続されて、ネットワーク化されている。
【００２４】
図３はＴＤＭＡ方式におけるスーパーフレーム、フレーム及びスロットの関係を示した、無線通信システム１０における信号構成図である。１フレーム周期は４０ｍｓ（４スロット構成）とされ、１スーパーフレーム周期は７２０ｍｓとされている。スロットごとに独立した物理チャネルとして制御用物理チャネルと通信用物理チャネルとがある。制御用物理チャネルと通信用物理チャネルとが、図３の下から２段目の配置のように、１キャリア内に混在することもある。該無線通信システム１０では、下りと上りのキャリアは、それぞれ１つずつとするととともに、それらの周波数は相違している。
【００２５】
図４はＴＤＭＡ方式における下り制御用物理チャネルにおけるＢＣＣＨ、ＰＣＨ及びＳＣＣＨの配置例を示している。ＢＣＣＨとは、制御チャネル構造情報やシステム情報を移動局１２に放送する報知チャネルである。ＰＣＨとは、ＵＩＤを指定して当該移動局１２への着信要求があることを通知する一斉呼出チャネルである。ＳＣＣＨとは、一斉呼出チャネルで着信要求があることを認識した移動局１２へ通信チャネル指定情報などの呼接続情報を送信するシグナリングチャネルである。
【００２６】
図４の下りキャリアでは、図３の下から２段目のチャネル配列のように、キャリアの各フレームに、通信用物理チャネルと、制御用物理チャネルとが混在している。また、各フレームのスロット番号０〜２は通信用物理チャネルを割当てられ、各フレームのスロット番号３は制御用物理チャネルを割当てられている。各フレームは該キャリアにおいて時分割で基地局１１から発信される。下り制御用物理チャネルのスーパーフレームを組み立てる場合には、各フレームからスロット番号３のスロットを時間順に配置する。
【００２７】
図５はスーパーフレームと受信電源状態との関係を示している。図５の上半分に記載している下り制御用物理チャネルにおけるＢＣＣＨ等の配置例は、ＴＤＭＡ及びＦＤＭＡの両方に共通のものである。スーパーフレームは先頭にＢＣＣＨが配置される。スーパーフレームは、群番号に対応するＰＣＨ（呼出し用チャネル）を１つずつ備え、かつＰＣＨは、スーパーフレーム内に群番号順に配列されている。
【００２８】
個別呼出し情報及びグループ別呼出し情報をそれぞれ載せる呼出し用チャネルの群番号Ｓu，Ｓgは例えば次の計算式（ａ）及び（ｂ）により算出される。ただし、ｍは群番号の総数である。また、ｍｏｄは、左の数字を右の数字で除算したときの余りを求める演算子である。
【００２９】
計算式（ａ）：Ｓu＝（ＵＩＤ  ｍｏｄ  ｍ）＋１
計算式（ｂ）：Ｓg＝（ＧＩＤ ｍｏｄ   ｍ）＋１
【００３０】
例えば、ＵＩＤ＝５，ＧＩＤ＝６，ｍ＝５である移動局１２について考えると、該移動局１２は、Ｓu＝１，Ｓg＝２を割当てられる。図５の下段の受信ＯＮ，ＯＦＦは、該移動局１２が受信作動を実施状態及び停止状態にしていることを意味する。Ｓu，Ｓgを計算するために、計算式（ａ）及び（ｂ）を一例として示したが、他の計算式を採用することができる。
【００３１】
ＴＤＭＡ方式では、１フレーム＝４スロットであるのに対し、ＦＤＭＡ方式では、１フレーム＝１スロットである。また、ＴＤＭＡ方式では、１キャリアに制御チャネルと通信チャネルとが混在するが、ＦＤＭＡ方式では、各キャリアは、制御チャネル専用か通信チャネル専用となっている。したがって、ＦＤＭＡ方式では、図５の各チャネルは制御チャネルのフレームに対し１：１に対応する。
【００３２】
ＴＤＭＡ方式の場合及びＦＤＭＡ方式の場合共に、無線通信システム１０における各移動局１２は、自局に割当てられたＵＩＤ，ＧＩＤに対応する群番号の呼出し用チャネルをスロットとして含むフレームの送信期間のみ、受信作動状態に切り替えられ、その他の群番号の呼出し用チャネルをスロットして含むフレームの送信期間では、受信作動を停止し、バッテリの電力消費量の抑制を図る。各移動局１２は、報知チャネル（ＢＣＣＨ）の制御チャネルをスロットとして含むフレーム送信期間は、常時受信するようになっていてもよいが、幾つかのものは適当に間引きして、とびとびに報知チャネルのフレームを受信してもよく、その方が節電上、都合がよい。
【００３３】
各移動局１２は、呼出し用チャネルのデータがＵＩＤであるか、ＧＩＤであるかを例えば次のようにして区別する。ＩＤのビット長さが例えば２４ビットとすると、その先頭の１ビットをＵＩＤ／ＧＩＤの識別ビットとする。こうして、先頭１ビットが”０”である場合には、残りの２３ビットはＵＩＤを示し、”１”である場合には、残りの２３ビットはＧＩＤを示すことになる。
【００３４】
呼出し用チャネル１１からの下り制御チャネルでは、個別呼出し用チャネルを割当てる群番号と、グループ別呼出し用チャネルを割当てる群番号とが同一になる場合がある。このような場合には、該群番号の呼出し用チャネルを図６（ｃ）のようにして、対処する。図６は、各群番号の呼出し用チャネルが、（ａ）個別呼出し用チャネル単独に割当てられた場合、（ｂ）グループ別呼出し用チャネル単独に割当てられた場合、（ｃ）個別呼出し用チャネル及びグループ別呼出し用チャネルの両方を割当てられた場合のデータ構造図である。すなわち、図６（ｃ）の場合には、移動局番号／（又は）グループ番号と通信用チャネル情報との対データが複数回、連続する構造となる。
【００３５】
なお、スーパーフレームには、各群番号の呼出し用チャネルＰＣＨ＃１〜＃ｍが１つずつ設けられているが、その内容は空（該当呼出し無し）となることがある。すなわち、送出タイミングに、個別呼出し情報及びグループ別呼出し情報の両方共に、無しの場合、群番号の呼出し用チャネルＰＣＨの内容は空となる。
【００３６】
図７及び図８はそれぞれ基地局３０及び移動局４３のブロック図である。少なくとも１個の基地局３０と複数の移動局４３とは無線通信システムを構成する。該無線通信システムの具体例は前述の無線通信システム１０（図１）であり、基地局３０及び移動局４３の具体例はそれぞれ前述の基地局１１及び移動局１２である。
【００３７】
図７において、基地局３０は、第１の呼出し用チャネル割当て手段３１、第２の呼出し用チャネル割当て手段３２及び制御チャネル送信手段３３を有している。第１の呼出し用チャネル割当て手段３１は、各移動局４３に対する個別呼出し情報を、該移動局４３の移動局識別子に対応する群番号の呼出し用チャネルに割当てる。第２の呼出し用チャネル割当て手段３２は、移動局４３の各グループに対するグループ別呼出し情報を、該グループのグループ識別子に対応する群番号の呼出し用チャネルに割当てる。制御チャネル送信手段３３は、各群番号の呼出し用チャネルについて所定の順番に配置した呼出し用チャネル列を下り制御チャネルにより無線送信する。
【００３８】
移動局識別子及びグループ識別子の具体例は１０におけるＵＩＤ，ＧＩＤである。移動局識別子及びグループ識別子は、相互に独立した識別子付与体系であり、すなわち、移動局識別子＝１、グループ識別子＝１というように、或る移動局４３では、その移動局識別子とグループ識別子とが同一ＩＤであることもあり得る。移動局識別子及びグループ識別子はそれぞれの識別子付与体系においてユニークである。各群番号の呼出し用チャネルのデータが移動局識別子であるかグループ識別子であるかは、例えば、前述したように、先頭ビットが”０”か”１”かにより区別する。なお、１つの移動局４３が複数のグループに属することがあってもよく、その場合には、該移動局４３には、グループ識別子が複数、付与される。
【００３９】
基地局３０及び移動局４３を含む無線通信システムは、ＴＤＭＡ及びＦＤＭＡのどちらの無線通信システムにも適用可能になっている。移動局識別子及びグループ識別子に対応する群番号の決め方は、例えば前述の計算式（ａ）及び（ｂ）である。
【００４０】
該無線通信システムでは、各群番号の呼出し用チャネルは、個別呼出し情報通知用の呼出し用チャネルとグループ別呼出し情報通知用の呼出し用チャネルとに兼用されるので、グループ別呼出し情報通知のための呼出し用チャネルを下り制御チャネルに特別に設定することが不要になり、下り制御チャネルにおける呼出し用チャネルの必要個数を減らしたり、所望の群番号数を確保したりすることができる。
【００４１】
呼出し用チャネルは群番号数だけ用意されているので、該無線通信システムでは、グループ識別子の異なる複数のグループへの呼出し情報通知がほぼ同時に起きた場合にも、グループ別呼出し情報通知を後回しにされるグループが生じることが抑制される。
【００４２】
好ましくは、基地局３０はフレーム割当て手段３７を有している。フレーム割当て手段３７は、各フレームから抽出した各群番号の呼出し用チャネルが所定の順番に配置されたスーパーフレームを構築可能となるように、各呼出し用チャネルに対して１つのフレームを割当てる。これに伴い、制御チャネル送信手段３３は、フレームの列を呼出し用チャネル列として送信する。
【００４３】
制御チャネル送信手段３３が送信するスーパーフレームの具体例はＴＤＭＡについての図４に示すものである。図４の例では、各フレームは４個のスロットを含み、それらスロットには、下り制御チャネルのスロットと、下り通信チャネルのスロットとが混在したり、下り通信チャネルのみであったりすることがある。これに対し、ＦＤＭＡ方式におけるスーパーフレームの一例では、各フレームは１個のスロットのみから成り、各群番号の各呼出し用チャネルに対して、それ専用に１個のフレームが存在する。ＦＤＭＡ方式では、下り制御チャネルを載せるキャリアは、下り制御チャネル専用となっている。
【００４４】
第１の呼出し用チャネル割当て手段３１及び第２の呼出し用チャネル割当て手段３２がそれぞれ割当てる呼出し用チャネルが同一スーパーフレームの同一群番号となる場合がある。この場合、該スーパーフレームでは、個別呼出し情報及びグループ別呼出し情報の一方のデータが他方のデータに上書きされたり、書き込み不能になって、消失する恐れがある。
【００４５】
これに対処して、好ましくは、基地局３０は調整手段３８を有する。調整手段３８は、個別呼出し情報及びグループ別呼出し情報の両方を通知可能とするデータを、同一スーパーフレームにおける該同一群番号の呼出し用チャネルに対応するフレームに格納する。このデータ格納例は図６（ｃ）で示している。
【００４６】
個別呼出し情報及びグループ別呼出し情報の一方のデータが他方のデータに上書きされるのに対処する別の好ましい態様では、調整手段３８は、個別呼出し情報及びグループ別呼出し情報内の一方のデータを、他方のデータを格納したスーパーフレームより後のスーパーフレームの対応呼出し用チャネルに格納する。
【００４７】
図８において、移動局４３は制御チャネル受信手段４４、個別呼出し情報抽出手段４５及びグループ別呼出し情報抽出手段４６を有している。制御チャネル受信手段４４は、各群番号の呼出し用チャネルについて所定の順番に配置した呼出し用チャネル列を無線の下り制御チャネルにより受信する。個別呼出し情報抽出手段４５は、下り制御チャネルにおいて自局への個別呼出し情報通知用に割当てられた群番号の呼出し用チャネルから個別呼出し情報を抽出する。グループ別呼出し情報抽出手段４６は、下り制御チャネルにおいて自局が属するグループへのグループ別呼出し情報通知用に割当てられた群番号の呼出し用チャネルからグループ別呼出し情報を抽出する。
【００４８】
好ましくは、移動局４３は、さらに、受信作動制御手段５０を有している。受信作動制御手段５０の付加に伴い、制御チャネル受信手段４４は、各群番号の呼出し用チャネルに対して１つずつ割当てられているフレームの列を呼出し用チャネル列として受信する。受信作動制御手段５０は、自局の個別呼出し情報と自局が属するグループのグループ別呼出し情報とを割当てられた群番号以外の群番号の呼出し用チャネルに対応するフレームの受信期間では、下り制御チャネル受信手段にその受信作動を停止させる。これにより、移動局４３の節電を図る。
【００４９】
図９及び図１０はそれぞれ基地局制御方法６０及び移動局制御方法７０のフローチャートである。基地局制御方法６０及び移動局制御方法７０はそれぞれ基地局３０及び移動局４３に適用される。基地局制御方法６０において、Ｓ６１，Ｓ６２は、その実行順は任意であるとともに、並列処理を行うことも可能である。移動局制御方法７０において、Ｓ７２，Ｓ７３は、その実行順は任意であるとともに、並列処理を行うことも可能である。
【００５０】
図９の基地局制御方法６０において、Ｓ６１では、各移動局４３に対する個別呼出し情報を、該移動局４３の移動局識別子に対応する群番号の呼出し用チャネルに割当てる。Ｓ６２では、移動局４３の各グループに対するグループ別呼出し情報を、該グループのグループ識別子に対応する群番号の呼出し用チャネルに割当てる。Ｓ６３では、各群番号の呼出し用チャネルについて所定の順番に配置した呼出し用チャネル列を下り制御チャネルにより無線送信する。
【００５１】
図１０の移動局制御方法７０において、Ｓ７１では、各群番号の呼出し用チャネルについて所定の順番に配置した呼出し用チャネル列を無線の下り制御チャネルにより受信する。Ｓ７２では、下り制御チャネルにおいて自局への個別呼出し情報通知用に割当てられた群番号の呼出し用チャネルから個別呼出し情報を抽出する。Ｓ７３では、下り制御チャネルにおいて自局が属するグループへのグループ別呼出し情報通知用に割当てられた群番号の呼出し用チャネルからグループ別呼出し情報を抽出する。
【００５２】
Ｓ６１〜Ｓ６３の処理は、基地局３０（図７）の第１の呼出し用チャネル割当て手段３１〜制御チャネル送信手段３３の機能にそれぞれ対応している。したがって、第１の呼出し用チャネル割当て手段３１〜制御チャネル送信手段３３の機能について述べた具体的態様はＳ６１〜Ｓ６３の処理についての具体的態様としても適用可能である。
【００５３】
基地局制御方法６０では、また、基地局３０のフレーム割当て手段３７及び調整手段３８の機能に対応する処理を実行するステップを適宜、追加可能である。フレーム割当て手段３７及び調整手段３８に対応するステップは、図７の基地局３０のブロック図において、フレーム割当て手段３７及び調整手段３８に出入りする信号の流れに対応する処理の流れが実現されるように、Ｓ６１，Ｓ６２とＳ６３との間に配置される。フレーム割当て手段３７及び調整手段３８の追加に対して補足説明した第１の呼出し用チャネル割当て手段３１〜制御チャネル送信手段３３の機能の具体的態様は、フレーム割当て手段３７及び調整手段３８に対応するステップの追加に対するＳ６１〜Ｓ６３の処理の具体的態様として適用される。
【００５４】
Ｓ７１〜Ｓ７３の処理は、移動局４３（図８）の制御チャネル受信手段４４〜グループ別呼出し情報抽出手段４６の機能にそれぞれ対応している。したがって、制御チャネル受信手段４４〜グループ別呼出し情報抽出手段４６の機能について述べた具体的態様はＳ７１〜Ｓ７３の処理についての具体的態様としても適用可能である。
【００５５】
移動局制御方法７０では、また、移動局４３の受信作動制御手段５０の機能に対応する処理を実行するステップを適宜、追加可能である。受信作動制御手段５０に対応するステップは、図８の移動局４３に示される受信作動制御手段５０から出力する信号の流れに対応する処理の流れが実現されるように、Ｓ７１の処理の前に配置して、自局への個別呼出し情報通知用及び自局が属するグループへのグループ別呼出し情報通知用に割当てられた群番号の呼出し用チャネルに割当てられた下りフレームの受信期間のみ、Ｓ７１へ進むことにし、それら以外の群番号の呼出し用チャネルに割当てられた下りフレームの受信期間では、Ｓ７１へ進むことなく、受信作動を停止して、節電を図る。
【００５６】
本発明を最良の形態について説明したが、本発明は、これに限定されるものではなく、発明の要旨を逸脱しない範囲で最良の形態における各構成要素を変形して具体化できる。また、最良の形態に開示されている複数の構成要素の便宜な組み合わせにより、種々の発明を形成できる。本明細書が開示する発明には、最良の形態に示される全構成要素からいくつかの構成要素を削除したり、異なる最良の形態に係る構成要素同士を組み合わせたものも含まれる。
【図面の簡単な説明】
【００５７】
【図１】無線通信システムの概略図である。
【図２】所定ＵＩＤの移動局がそのメモリに記憶している各種番号情報についての説明図である。
【図３】ＴＤＭＡ方式におけるスーパーフレーム、フレーム及びスロットの関係を示した、無線通信システムにおける信号構成図である。
【図４】ＴＤＭＡ方式における下り制御用物理チャネルにおけるＢＣＣＨ、ＰＣＨ及びＳＣＣＨの配置例を示す図である。
【図５】スーパーフレームと受信電源状態との関係を示す図である。
【００５８】
【図６】各群番号の呼出し用チャネルが個別呼出し用チャネル単独に割当てられた場合等のデータ構造図である。
【図７】基地局のブロック図である。
【図８】移動局４３のブロック図である。
【図９】基地局制御方法のフローチャートである。
【図１０】移動局制御方法のフローチャートである。
【符号の説明】
【００５９】
３０：基地局、３１：第１の呼出し用チャネル割当て手段、３２：第２の呼出し用チャネル割当て手段、３３：制御チャネル送信手段、３７：フレーム生成手段、３８：調整手段、４３：移動局、４４：制御チャネル受信手段、４５：個別呼出し情報抽出手段、４６：グループ別呼出し情報抽出手段、４７：グループ別呼出し情報抽出手段、５０：受信作動制御手段、６０：基地局制御方法、７０：移動局制御方法。
【図１】
2008205713.tif 000003
【図２】
2008205713.tif 000004
【図３】
2008205713.tif 000005
【図４】
2008205713.tif 000006
【図５】
2008205713.tif 000007
【図６】
2008205713.tif 000008
【図７】
2008205713.tif 000009
【図８】
2008205713.tif 000010
【図９】
2008205713.tif 000011
【図１０】
2008205713.tif 000012